(57)【要約】 【課題】特に防水効果に優れるダブルブレストレインコートを提供する。【解決手段】本発明に係るダブルブレストレインコートは、本体と、２枚の袖部と、第一襟部を有し、該本体は、背部と左前部と右前部を備え、その上側に襟口が形成され、該２枚の袖部は、本体の左側及び右側に設置され、該第一襟部は、襟口に設置され、さらに、２枚の遮蔽部と、第二襟部と、結合ユニットを有し、該２枚の遮蔽部は、左遮蔽部及び右遮蔽部からなり、該左遮蔽部が左前部の内面に設置され、該右遮蔽部が右前部の内面に設置され、該第二襟部は、第一襟部の内側に設置され、該結合ユニットは、左遮蔽部の右側縁及び右遮蔽部の左側縁に設置されることにより、該左遮蔽部及び右遮蔽部を合わせることができ、この構成によれば、第二襟部が使用者の頸と胸と腹を完全にカバーすることができるため、防水効果を向上させると共に、レインコートのデザイン性に優れる。【選択図】図１
2018188789.tif 000002
【特許請求の範囲】
【請求項１】
背部と左前部と右前部を備えて身体に合うものであり、上側に襟口が形成され、左側及び右側にそれぞれ袖口が形成され、左前部及び右前部の外縁部分が互いに重ねるように延設され、該左前部及び右前部における重ねる部分に複数の二列ボタン及びボタンホールが形成される、本体と、
それぞれが本体の左側の袖口及び右側の袖口に設置される、２枚の袖部と、
下縁部が襟口の開口縁部と接するように、本体の上側の襟口に設置されると共に、第一襟部を有するダブルブレストレインコートであって、
左遮蔽部及び右遮蔽部からなり、該左遮蔽部は、左側縁を介して左前部の内面に固定するように、該左前部の内面に設置され、該右遮蔽部は、右側縁を介して右前部の内面に固定するように、該右前部の内面に設置される、２枚の遮蔽部と、
第一襟部の内側に設置されるものであり、その左側下縁を介して左遮蔽部の上縁と接し、その右側下縁を介して右遮蔽部の上縁と接し、該左遮蔽部と右遮蔽部の間にある部分が本体の上側の襟口の開口縁部と接する、第二襟部と、
左遮蔽部の右側縁及び右遮蔽部の左側縁に設置されることにより、該左遮蔽部及び右遮蔽部を合わせる、少なくとも１つの結合ユニット、を有することを特徴とするダブルブレストレインコート。
【請求項２】
前記左遮蔽部の左側縁が左前部の内面にある固定部材により、該左前部の内面に固定されることを特徴とする請求項１に記載のダブルブレストレインコート。
【請求項３】
前記右遮蔽部の右側縁が右前部の内面にある固定部材により、該右前部の内面に固定されることを特徴とする請求項１に記載のダブルブレストレインコート。
【請求項４】
前記結合ユニットが上方に向かって第二襟部の左側縁部及び右側縁部に延出することを特徴とする請求項２または３に記載のダブルブレストレインコート。
【請求項５】
前記結合ユニットが上方に向かって第二襟部の左側縁部及び右側縁部に延出することを特徴とする請求項１に記載のダブルブレストレインコート。
【請求項６】
前記本体の左肩部及び右肩部にそれぞれ肩紐が設置され、該左肩紐の外側縁部は、本体の左側の袖口の縁部に固定され、該右肩紐の外側縁部は、本体の右側の袖口の縁部に固定され、該左肩紐の内側縁部は、バックルを用いて本体の左肩部に固定され、該右肩紐の内側縁部は、バックルを用いて本体の右肩部に固定され、
前記第二襟部の左側及び右側にそれぞれバックルが設置されることを特徴とする請求項１、２、３、５の何れか１項に記載のダブルブレストレインコート。
【請求項７】
前記左遮蔽部の幅は、右遮蔽部の幅よりも大きい、
前記第二襟部の左側部及び右側部は、左遮蔽部及び右遮蔽部の幅に対応することを特徴とする請求項１、２、３、５の何れか１項に記載のダブルブレストレインコート。
【請求項８】
前記右遮蔽部の幅は、左遮蔽部の幅よりも大きい、
前記第二襟部の左側部及び右側部は、左遮蔽部及び右遮蔽部の幅に対応することを特徴とする請求項１、２、３、５の何れか１項に記載のダブルブレストレインコート。
【請求項９】
前記第二襟部の上縁部に、外側かつ下方に向かって折り返し部が延設されることを特徴とする請求項１、２、３、５の何れか１項に記載のダブルブレストレインコート。
【発明の詳細な説明】
【技術分野】
【０００１】
本発明は、特に防水効果に優れるダブルブレストレインコートに関するものである。
【背景技術】
【０００２】
図１２に示すように、既存のダブルブレストレインコートは、本体１と、２枚の袖部６と、第一襟部７を有し、該本体１は、背部２と、左前部３と、右前部４を備えて身体に合うものであり、さらに、該本体１の上側に襟口９が形成され、該本体１の左側及び右側にそれぞれ袖口６−１が形成され、該左前部３及び右前部４の外縁部分が互いに重ねるように延設され、該左前部３及び右前部４における重ねる部分に複数の二列ボタン５及びボタンホール５−１が形成され、該２枚の袖部６は、本体１の左側の袖口６−１及び右側の袖口６−１に設置され、該第一襟部７は、本体１の上側の襟口９に設置されると共に、該第一襟部７の下縁部が襟口９の開口縁部と接する。
【先行技術文献】
【特許文献】
【０００３】
【特許文献１】台湾実用新案第４３８８３３号明細書
【特許文献２】台湾実用新案第４０１３２２号明細書
【特許文献３】中国実用新案第２０５９６２９１３号明細書
【発明の概要】
【発明が解決しようとする課題】
【０００４】
既存のダブルブレストレインコートを着ると、防水及び防風の機能を備えておしゃれな感じがするが、ダブルブレストレインコートを着て町で歩いたりバイクに乗ったりする人が殆どいない原因は、以下にて説明する。
【０００５】
１.レインコート本体１の防水効果が低下：その左前部３と右前部４は、それぞれの外縁部を介して互いに重ねて、その重ねる箇所に複数の二列ボタン５及びボタンホール５−１が設置されるので、隙間が多くなるため、バイクに乗る場合、風圧で雨水がレインコートに浸入する問題があった。
【０００６】
２.第一襟部７の防水効果が低下：第一襟部７は、スーツ式の襟であることから、第一襟部７を縦方向に立てて左、右側を互いに重ねるが、襟と頸との間に隙間を有するので、バイクに乗る場合、風圧で雨水を隙間から浸入する問題があった。
【課題を解決するための手段】
【０００７】
本発明は、既存のダブルブレストレインコートに係る本体と襟との防水効果が低下する問題を解決するために、使用者の頸と胸と腹をカバーするように防水領域の範囲を有する。また、既存のダブルブレストレインコートは、スーツ式のＶ字形の襟であることから、防水領域を露出して外観に劣る問題があるので、商品の販売に悪影響がある。
【０００８】
このため、本発明は、防水領域を第二襟部として設計することにより、防水領域を露出しても外観に優れ、おしゃれな感じがするので、防水機能及びデザイン性を向上する。
【０００９】
本発明に係るダブルブレストレインコートは、
背部と左前部と右前部を備えて身体に合うものであり、上側に襟口が形成され、左側及び右側にそれぞれ袖口が形成され、左前部及び右前部の外縁部分が互いに重ねるように延設され、該左前部及び右前部における重ねる部分に複数の二列ボタン及びボタンホールが形成される、本体と、
それぞれが本体の左側の袖口及び右側の袖口に設置される、２枚の袖部と、
下縁部が襟口の開口縁部と接するように、本体の上側の襟口に設置されると共に、第一襟部を有するダブルブレストレインコートであって、
左遮蔽部及び右遮蔽部からなり、該左遮蔽部は、左側縁を介して左前部の内面に固定するように、該左前部の内面に設置され、該右遮蔽部は、右側縁を介して右前部の内面に固定するように、該右前部の内面に設置される、２枚の遮蔽部と、
第一襟部の内側に設置されるものであり、その左側下縁を介して左遮蔽部の上縁と接し、その右側下縁を介して右遮蔽部の上縁と接し、該左遮蔽部と右遮蔽部の間にある部分が本体の上側の襟口の開口縁部と接する、第二襟部と、
左遮蔽部の右側縁及び右遮蔽部の左側縁に設置されることにより、該左遮蔽部及び右遮蔽部を合わせる、少なくとも１つの結合ユニット、を有するものである。
【００１０】
かかるダブルブレストレインコートにおいて、前記左遮蔽部の左側縁が左前部の内面にある固定部材により、該左前部の内面に固定されることが好ましい。
【００１１】
かかるダブルブレストレインコートにおいて、前記右遮蔽部の右側縁が右前部の内面にある固定部材により、該右前部の内面に固定されることが好ましい。
【００１２】
かかるダブルブレストレインコートにおいて、前記結合ユニットが上方に向かって第二襟部の左側縁部及び右側縁部に延出することが好ましい。
【００１３】
かかるダブルブレストレインコートにおいて、
前記本体の左肩部及び右肩部にそれぞれ肩紐が設置され、該左肩紐の外側縁部は、本体の左側の袖口の縁部に固定され、該右肩紐の外側縁部は、本体の右側の袖口の縁部に固定され、該左肩紐の内側縁部は、バックルを用いて本体の左肩部に固定され、該右肩紐の内側縁部は、バックルを用いて本体の右肩部に固定され、
前記第二襟部の左側及び右側にそれぞれバックルが設置されることが好ましい。
【００１４】
かかるダブルブレストレインコートにおいて、
前記左遮蔽部の幅は、右遮蔽部の幅よりも大きい、
前記第二襟部の左側部及び右側部は、左遮蔽部及び右遮蔽部の幅に対応することが好ましい。
【００１５】
かかるダブルブレストレインコートにおいて、
前記右遮蔽部の幅は、左遮蔽部の幅よりも大きい、
前記第二襟部の左側部及び右側部は、左遮蔽部及び右遮蔽部の幅に対応することが好ましい。
【００１６】
かかるダブルブレストレインコートにおいて、前記第二襟部の上縁部に、外側かつ下方に向かって折り返し部が延設されることが好ましい。
【発明の効果】
【００１７】
本発明に係るダブルブレストレインコートは、上述した構成を有することから、以下のメリットを有する。
１.本発明の第二襟部は、左遮蔽部の左側縁及び右遮蔽部の右側縁まで延出することから、使用者の頸と胸と腹をカバーすることができる防水領域を構成し、この構成によれば、雨水を第一襟部または左前部と右前部の重ねた部分から浸入することができず、防水効果に優れる。
【００１８】
２.本発明のダブルブレストレインコートは、防水領域をより小さなコート模様に設計したので、外部に露出しても違和感を有しなく、デザイン性に優れる。
【００１９】
３.本発明の構成によれば、既存のダブルブレストレインコートにかかる、頸部と胸部と腹部に雨水を浸入する問題を解決できるだけでなく、防水機能及び美観性のダブルの効果を達成する。既存のダブルブレストレインコートにおける外形の単調で美観に劣る構成を、外観のデザイン性が向上して外部に露出しても違和感がない。
【００２０】
４.本発明は、第一襟部を縦方向に立てて第一層となり、第二襟部が第二層となることから、頸を二重構造によりカバーすることができる。また、左前部が第一層となり、右前部が第二層となり、左遮蔽部及び右遮蔽部が第三層となることから、胸部及び腹部を三重構造によりカバーすることができる。これによれば、雨水の浸入を防止することができる。
【００２１】
５.本発明に係るダブルブレストレインコートの第一襟部は、第一襟部の下縁部と襟口との接着する縫い目をカバーすることにより、雨水を縫い目から内部に浸入することを防止する。その第二襟部の折り返した折り返し部は、第一襟部と第二襟部の間にあるＶ字形の夾角をカバーすることにより、防水シートを設置しなくても、雨水の浸入を防止できる。
【００２２】
６.本発明に係るダブルブレストレインコートの内部にある、第二襟部及び左遮蔽部と右遮蔽部を折り返して収納することができる。
【００２３】
７.本発明に係るダブルブレストレインコートは、実際の需要に応じて、ロングコートであってもよく、ショートコートであってもよい。
【図面の簡単な説明】
【００２４】
【図１】本発明の第一実施例の前面図である。
【図２】本発明の第一実施例の防水領域を示す前面図である。
【図３】本発明の第一実施例において、左前部を開いた状態を示す前面図である。
【図４】本発明の第二実施例の前面図である。
【図５】本発明の第二実施例において、バックルを用いて固定した状態を示す前面図である。
【図６】本発明の第二実施例において、防水領域を折り返して収納した状態を示す前面図である。
【図７】本発明の第三実施例の前面図である。
【図８】本発明の第四実施例の前面図である。
【図９】本発明の第四実施例の防水領域の前面図である。
【図１０】本発明の第四実施例において、折り返し他部分が第一襟部をカバーした状態を示す前面図である。
【図１１】本発明の第四実施例の後面図である。
【図１２】既存のダブルブレストレインコートの前面図である。
【発明を実施するための形態】
【００２５】
以下、添付図面を参照して本発明の適切な実施の形態を詳細に説明する。
【００２６】
本発明に係るダブルブレストレインコートの第一実施例は、図１乃至図３に示すように、本体１と、２枚の袖部６と、２枚の遮蔽部と、第二襟部８と、少なくとも１つの結合ユニット１２を有する。
【００２７】
前記本体１は、背部２と、左前部３と、右前部４を備えて身体に合うものであり、該本体１における、上側に襟口９が形成され、左側及び右側にそれぞれ袖口６−１が形成され、左前部３及び右前部４の外縁部分がそれぞれ適当な長さまで延出することにより、該左前部３の外縁部及び右前部４の外縁部を互いに重ねることができ、また、該左前部３及び右前部４における重ねる部分に複数の二列ボタン５及びボタンホール５−１が形成され、該二列ボタン５は、スナップボタンなどのボタンを使ってもいい。
【００２８】
前記２枚の袖部６は、本体１の左側及び右側の袖口６−１に設置される。前記第一襟部７は、本体１の上側の襟口９に設置され、該第一襟部７の下縁は、襟口９の開口縁部と接する。前記２枚の遮蔽部は、左遮蔽部１０及び右遮蔽部１１からなり、該左遮蔽部１０は、左側縁１０−１を介して左前部３の内面に固定するように、該左前部３の内面に設置され、該右遮蔽部１１は、右側縁１１−１を介して右前部４の内面に固定するように、該右前部４の内面に設置される。
【００２９】
前記第二襟部８は、第一襟部７の内側に設置され、すなわち、該第一襟部７は、第二襟部８の周囲に環装される。前記第二襟部８は、左側下縁を介して左遮蔽部１０の上縁と接し、右側下縁を介して右遮蔽部１１の上縁と接し、該左遮蔽部１０と右遮蔽部１１の間にある第二襟部８の下縁８−１は、本体１の襟口９の開口縁部と接する。
【００３０】
前記少なくとも１つの結合ユニット１２は、左遮蔽部１０の右側縁及び右遮蔽部１１の左側縁に設置されることにより、該左遮蔽部１０及び右遮蔽部１１を結合固定することができる。また、該結合ユニット１２は、第二襟部８の左側縁部及び右側縁部に延出し、これによれば、該第二襟部８の左側縁部及び右側縁部は、互いに掛合されることができ、使用者の頸をカバーすることができる。該結合ユニット１２は、チャックや、面ファスナーなどの結合機能を備えるユニットであることが好ましい。本実施例における結合ユニット１２は、チャックである。
【００３１】
前記第二襟部８の下縁８−１は、襟口９の開口縁部と接して密着線を構成し、また、該密着線は、左遮蔽部１０の左側縁１０−１及び右遮蔽部１１の右側縁１１−１まで延出することから、使用者の頸と胸と腹をカバーすることができる防水領域の範囲を構成する。結合ユニット１２を係合すると、雨水を第一襟部７または左前部３と右前部４の重ねた部分から浸入することを防止し、優れた防水性を提供する。
【００３２】
そのうち、左遮蔽部１０の左側縁１０−１は、実際の需要に応じて、左前部３の内面にある裏地や、内側シール、防水領域、折り返しシールなどの部材を介して左前部３の内面に固定され、それによれば、左前部３の外表面に、縫い目を有しなく、外観的に優れる。
【００３３】
そのうち、右遮蔽部１１の右側縁１１−１は、実際の需要に応じて、右前部４の内面にある裏地や、内側シールや、防水領域、折り返しシールなどの部材を介して右前部４の内面に固定され、それによれば、右前部４の外表面に、縫い目を有しなく、外観的に優れる。
そのうち、左遮蔽部１０と第二襟部８の左側は、実際の需要に応じて、一体に成形されてもよく、例えば、左遮蔽部１０が上方に延出して第二襟部８の左側を構成し、右遮蔽部１１と第二襟部８の右側は、実際の需要に応じて、一体に成形されてもよく、例えば、右遮蔽部１１が上方に延出して第二襟部８の右側を構成する。
左遮蔽部１０及び右遮蔽部１１の長さは、実際の需要に応じて、長くしてもよく、短くしてもよい。
【００３４】
本発明に係るダブルブレストレインコートは、男女の着用習慣に応じて左前部３と右前部４との重ねた方式が異なり、例えば、男子の着用習慣において、左前部３が外側に、右前部４が内側に配置するように設計され、女子の着用習慣において、右前部４が外側に、左前部３が内側に配置するように設計される。
【００３５】
本発明における左前部３の下部及び右前部４の下部は、実際の需要に応じて、雨水防止の靴カバーまたは靴カバーを収納するための収容バッグを設置する。
【００３６】
図４、図５、図６に示すように、本発明に係るダブルブレストレインコートの第二実施例は、殆ど第一実施例と同一であるが、本体１の長さを短くしてショートコートの設計が異なり、ショートコートを個別に着用してもよく、ショートコートとレインパンツとを着用してもよい。
【００３７】
前記本体１の左肩及び右肩に肩紐１３が設置され、該左肩紐１３及び右肩紐１３の外側縁部は、本体１の左側の袖口６−１及び右側の袖口６−１に固定され（例えば、袖口６−１の縁部または近傍に固定され、実際の需要に応じて、如何なる手段で固定してもよい）、該左肩紐１３及び右肩紐１３の内側縁部はそれぞれ、バックル１４(例えば、オスのスナップボタン)を介して本体１の左肩及び右肩に固定される。前記第二襟部８の左側及び右側に対応する箇所にそれぞれバックル１５（例えば、メスのスナップボタン）が設置される。
【００３８】
図５に示すように、バックル１４は、釘１４−１のロッドを介して肩紐１３に挿入してから内側上部のオスボタン１４−２に掛止され、これによれば、本体１の内面のオスのスナップボタンを構成する。
【００３９】
バックル１５は、釘１５−１のロッドを介して第二襟部８の内側に挿し入れてから第二襟部８の内側のメスボタン１５−２に掛止され、第二襟部８の内側のメスのスナップボタンを構成する。図６に示すように、第二襟部８と左遮蔽部１０と右遮蔽部１１を内部に折って隠す場合は、バックル１４及びバックル１５を用いて位置決めることができるため、左肩紐１３及び右肩紐１３の外観的に優れると共に、固定効果を提供する。
【００４０】
図７に示すように、本発明に係るダブルブレストレインコートの第三実施例は、殆ど第一実施例と同一であるが、左遮蔽部１０及び右遮蔽部１１の幅は、実際の需要に応じて異なってもよい。本実施例における、左遮蔽部１０の幅が広く設定し、右遮蔽部１１の幅が狭く設定し、第二襟部８の左側及び右側も左遮蔽部１０及び右遮蔽部１１の幅に対応するように設定すると共に、結合ユニット１２も右側に移動する。この実施例の設計を有すれば、雨水が左前部３及び右前部４の隙間に浸入しては、結合ユニット１２まで濡れる距離及び時間を延長することができるため、雨水がまだ結合ユニット１２と接触しないうちに、レインコートの下方に流れる。
【００４１】
左遮蔽部１０及び右遮蔽部１１の幅は、実際の需要に応じて、一致してもよく、異なってもよく、例えば、図７に示すように、左遮蔽部１０の幅が広く設定すると共に、右遮蔽部１１の幅が狭く設定し、或いは、左遮蔽部１０の幅が狭く設定すると共に、右遮蔽部１１の幅が広く設定する。また、第二襟部８の左側及び右側も左遮蔽部１０及び右遮蔽部１１の幅に対応するように設定する。すなわち、結合ユニット１２は、実際の需要に応じて、中央に位置する必要はなく、左側または右側に位置してもよい。
【００４２】
図８、図９、図１０、図１１に示すように、本発明の第四実施例は、殆ど第一実施例と同一であるが、以下の点において異なる。
本発明に係るダブルブレストレインコートの裏面における、全ての縫い目がある箇所にそれぞれ、防水シートが高周波による貼り付けられ、この防水シートを有すれば、雨水が縫い目から浸入することを防ぐことができる。
【００４３】
一方、本発明に係るダブルブレストレインコートにおいて、その襟口９が第一襟部７と第二襟部８と同時に接着されることから、その裏面に防水シートを接着する時、製造し難くて手間及び時間が非常にかかると共に、防水シートが日差しなどの高温で剥がれる問題がある。また、第一襟部７の下縁部と第二襟部８の下縁部とは、同時に襟口９に固定されることから、第一襟部７と第二襟部８の間に、Ｖ字形の夾角１７を構成し、該夾角１７に雨水が溜まる可能性があるので、第一襟部７の下縁部と第二襟部８の下縁部に防水シートを設置する必要がある。
【００４４】
上述した問題を解決するために、その第二襟部８の上縁部に、外側かつ下方に向かって折り返し部１６が延設され、この折り返し部１６を有すれば、防水シートを設置する必要はなく、製造の効率を向上させると共に、雨水の浸入も完全に防止できる。
【００４５】
本実施例において、雨水の浸入を防止する効果は、図１０及び図１１に示すように、第一襟部７は、その表面から第一襟部７の下縁部と襟口９との接着する縫い目をカバーすることにより、雨水を縫い目から内部に浸入することを防止する。その第二襟部８の折り返した折り返し部１６は、第一襟部７と第二襟部８の間にあるＶ字形の夾角１７をカバーすることにより、防水シートを設置しなくても、雨水の浸入を防止できる。
【符号の説明】
【００４６】
１        本体
２        背部
３        左前部
４        右前部
５        二列ボタン
５−１    ボタンホール
６        袖部
６−１    袖口
７        第一襟部
８        第二襟部
８−１    下縁
９        襟口
１０      左遮蔽部
１０−１  左側縁
１１      右遮蔽部
１１−１  右側縁
１２      結合ユニット
１３      肩紐
１４      バックル
１４−１  釘
１４−２  オスボタン
１５      バックル
１５−１  釘
１５−２  メスボタン
１６      折り返し部
１７      夾角
【図１】
2018188789.tif 000003
【図２】
2018188789.tif 000004
【図３】
2018188789.tif 000005
【図４】
2018188789.tif 000006
【図５】
2018188789.tif 000007
【図６】
2018188789.tif 000008
【図７】
2018188789.tif 000009
【図８】
2018188789.tif 000010
【図９】
2018188789.tif 000011
【図１０】
2018188789.tif 000012
【図１１】
2018188789.tif 000013
【図１２】
2018188789.tif 000014